(57)【要約】【課題】複数個連続して並べて使用しても、隣接部分で光が暗くなることのない照明器具を提供する。【解決手段】本体ユニット１１と、本体ユニット１１に着脱可能で光を発する光源ユニット１２とを備えている。光源ユニット１２の本体ユニット１１に対する着脱面４２は本体ユニット１１を天井などの被着面に取り付けるための取付面に対して傾斜している。本体ユニット１１と光源ユニット１２とは長手方向の長さが略等しい。光源ユニット１２の長手方向の両端部にある透光カバーの側板４６から発する光を本体ユニット１１（器具本体１３）の長手方向の両端部にある側板２６が遮らないように、光源ユニット１２は本体ユニット１１から突出している。【選択図】図１
2016004759.tif 000002
【特許請求の範囲】
【請求項１】
本体ユニットと、
前記本体ユニットに着脱可能で光を発する光源ユニットとを備え、
前記光源ユニットの前記本体ユニットに対する着脱面は、前記本体ユニットを被着面に取り付けるための取付面に対して傾斜しており、
前記本体ユニットと前記光源ユニットとは長手方向の長さが略等しいことを特徴とする照明器具。
【請求項２】
本体ユニットと、
前記本体ユニットに着脱可能で光源となる光源ユニットとを備え、
前記光源ユニットの前記本体ユニットに対する着脱面は、前記本体ユニットを被着面に取り付けるための取付面に対して傾斜しており、
前記光源ユニットの長手方向の両端部から発する光を前記本体ユニットの長手方向の両端部が遮らないように前記光源ユニットは前記本体ユニットから突出していることを特徴とする照明器具。
【請求項３】
前記光源ユニットは、光源となる複数のＬＥＤが当該光源ユニットの長手方向の一端部から他端部まで連続的に配列されていることを特徴とする請求項１又は２に記載の照明器具。
【請求項４】
前記光源ユニットの前記本体ユニットに対する着脱面は当該光源ユニットの背面であることを特徴とする請求項1〜３のいずれかの一項に記載の照明器具。
【発明の詳細な説明】
【技術分野】
【０００１】
本発明は、照明器具に関する。
【背景技術】
【０００２】
本技術分野の背景技術として、特開２０１１−２１０５９４号公報（特許文献１）がある。この公報には、「本発明にかかる廻り縁ユニット１００は、部屋の壁面１０４上部に沿わせられる反射パネル１１０と、反射パネル１１０を介して壁面１０４に平行に配置される前面カバー１２６と、反射パネル１１０と前面カバー１２６との間に配置される光源１３８と、光源１３８に電力を供給する電気配線１３２とを有し、光源１３８より発せられた光を部屋の天井１０６と前面カバー１２６との間、および壁面１０４と前面カバー１２６との間から照射可能であることを特徴とする。」と記載されている（要約参照）。
【先行技術文献】
【特許文献】
【０００３】
【特許文献１】特開２０１１−２１０５９４号公報
【発明の概要】
【発明が解決しようとする課題】
【０００４】
前記特許文献１には、廻り縁ユニット内に光源となる蛍光ランプが配置された照明ユニットについて記載されている。これらの照明ユニットは、天井などから壁面を照らすウォールウォッシャー照明として使用することができる。
【０００５】
しかし、当該照明ユニットは、照明ユニットの長さに対して蛍光ランプの発光部分の長さが短いため、かかる照明ユニットを長手方向に複数個連続して天井などに配置した場合に、照明ユニット同士の隣接する部分では光が暗くなり、壁面に暗い部分を生じてしまうという恐れがある。
そこで、本発明は、複数個連続して並べて使用しても、隣接部分で光が暗くなることのない照明器具を提供することを課題とする。
【課題を解決するための手段】
【０００６】
上記課題を解決するため、本発明の一形態は、本体ユニットと光源ユニットとは長手方向の長さが略等しいことを特徴とする。
本発明の別の一形態は、光源ユニットの長手方向の両端部から発する光を本体ユニットの長手方向の両端部が遮らないように光源ユニットは本体ユニットから突出していることを特徴とする。
【発明の効果】
【０００７】
本発明によれば、複数個連続して並べて使用しても、隣接部分で光が暗くなることのない照明器具を提供することができる。
上記した以外の課題、構成及び効果は、以下の実施形態の説明により明らかにされる。
【図面の簡単な説明】
【０００８】
【図１】図１は、本発明の一実施例にかかる照明器具の分解斜視図である。
【図２】図２は、本発明の一実施例にかかる照明器具の分解側面図である。
【図３】図３は、本発明の一実施例にかかる照明器具を光源ユニットの正面側から視た斜視図（ａ）、透光カバーを取り外した状態で同照明器具を光源ユニットの正面側から視た斜視図（ｂ）、（ｂ）の部分拡大図（ｃ）である。
【図４】図４は、本発明の一実施例にかかる照明器具の本体ユニット（器具本体の）の上面図である。
【図５】図５は、本発明の一実施例にかかる照明器具の照明器具の拡大右側面図である。
【図６】図６は、本発明の一実施例にかかる照明器具を光源ユニットの前方側から視た正面図である。
【図７】図７は、図６の部分拡大図である。
【図８】図８は、本発明の一実施例にかかる照明器具の設置状況を示す説明図である。
【図９】図９は、本発明の一実施例にかかる照明器具の設置状況を示す説明図である。
【発明を実施するための形態】
【０００９】
以下、本発明の実施例について図面を用いて説明する。
図１は、本実施例の照明器具１の分解斜視図、図２は、同分解側面図である。照明器具１は、本体ユニット１１と、光源ユニット１２とから構成される。
まず、本体ユニット１１は、器具本体１３と、遮光部材１４とからなる。器具本体１３は、その筺体内部に電源端子台２１が設けられ、電源端子台２１には電源コネクタ（オス）２２が接続されている。また、当該筺体内部には、一対のねじ受け２３が形成されている。
【００１０】
遮光部材１４は、その短手方向の一端縁側に遮光板３１が形成された部材である。また、遮光部材１４の長手方向の両端側には、一対のバネ受け３２が設けられている。また、遮光部材１４には一対のねじ孔３３が設けられている。遮光部材１４は、ねじ孔３３に取付ねじ３４を通し、器具本体１３のねじ受け２３にねじ留めすることにより、器具本体１３に取り付けることができる。
【００１１】
光源ユニット１２は、その背面４１に、点灯回路が内蔵された電源装置４２と、電源装置４２に接続された電源コネクタ（メス）４３とが設けられている。また、背面４１における光源ユニット１２の長手方向の両端側には、一対の取付バネ４４が設けられている。光源ユニット１２は、取付バネ４４を遮光部材１４のバネ受け３２に差し込んで、本体ユニット１１に着脱可能に弾性的に支持させることができる。これにより、光源ユニット１２の背面４１が、本体ユニット１１に対する当該光源ユニット１２の着脱面となる。遮光部材１４には貫通孔３５が形成されており、電源コネクタ（オス）２２と電源コネクタ（メス）４３とは、貫通孔３５を介して接続することができる。これにより、電源装置４２は、電源端子台２１を介して外部から電力の供給を受けることができる。
【００１２】
このような照明器具１は、ウォールウォッシャー照明として使用することができ、その際には、図９に示すように、照明器具１を長手方向に複数台連続して並べて天井に設置して、壁を照らすようにする。この場合、隣接し合う照明器具１同士の隣接部分５１は、なるべく空間を開けないようにして、照明器具１からの光が十分に壁に届き、部分的に暗くなる領域が壁に生じないようにする。
しかしながら、照明器具１において、本体ユニット１１の長手方向の長さに対して、光源ユニット１２の長手方向の長さが短い場合等においては不具合を生じる。すなわち、壁における照明器具１同士の隣接部分５１に対応した領域には、光源ユニット１２からの光が十分に届かない暗い部分を生じてしまうという問題である。
以下では、照明器具１において、このような不具合をいかに解決しているかについて説明する。
【００１３】
図３（ａ）は、照明器具１を光源ユニット１２の正面側から視た斜視図である。光源ユニット１２の正面側（背面４１の反対側）は、光を透過する材料（例えば、白色半透明）で形成された透光カバー４５で覆われている。
図３（ｂ）は、図３（ａ）の透光カバー４５を取り外した状態で照明器具１を光源ユニット１２の正面側から視た斜視図である。図３（ｃ）は、図３（ｂ）の部分拡大図である。図３（ｂ）（ｃ）に示すように、光源ユニット１２は、光源となる複数のＬＥＤ（Light Emitting Diode）４７が当該光源ユニット１２の長手方向の一端部から他端部まで、この例では連続的に配列されている。これにより、光源ユニット１２は、光源となる複数のＬＥＤ４７を発光させ、透光カバー４５を介して、外部に光を発する。
【００１４】
図４は、本体ユニット１１（器具本体１３の）の上面図である。本体ユニット１１（器具本体１３）の上面は、本体ユニット１１を建物の天井などの被着面に取り付けるための取付面２５をなす。
【００１５】
図５は、照明器具１の拡大右側面図である。光源ユニット１２の本体ユニット１１に対する着脱面となる当該光源ユニット１２の背面４１は、本体ユニット１１を天井などの被着面に取り付けるための取付面２５に対して傾斜している。すなわち、図５の例では、背面４１は、左側から右側にかけて下り傾斜していて、壁面１０２（図８）を照らすように取付面２５に対して鋭角をなしている。
【００１６】
図６は、照明器具１を光源ユニット１２の前方側から視た正面図である。図７は、図６の部分拡大図である。照明器具１において、本体ユニット１１と光源ユニット１２とは長手方向の長さが略等しい。そのため、器具本体１３（本体ユニット１１）の長手方向両端の側板２６の外側の面２６ａの位置と、光源ユニット１２の透光カバー４５の長手方向両端の側板４６の外側の面４６ａの位置とは、照明器具１を光源ユニット１２の前方側から視たときに、略合っている（特に、図７を参照）。
【００１７】
ここで、本体ユニット１１と光源ユニット１２とは長手方向の長さが「略等しい」とは、光源ユニット１２の消灯時においては、本体ユニット１１の長手方向の長さに比べて光源ユニット１２の長手方向の長さが若干短い場合等も含むものとする。すなわち、光源ユニット１２を点灯することにより、光源ユニット１２の温度が上昇し、透光カバー４５が熱により若干膨張する。本体ユニット１１も光源ユニット１２の熱を受けて僅かに膨張するが、透光カバー４５に比べれば温度上昇が小さいので、光源ユニット１２（透光カバー４５）の方が、膨張の程度（線膨張率）が大きい。そこで、光源ユニット１２の消灯時には本体ユニット１１の長手方向の長さに比べて光源ユニット１２の長手方向の長さが若干短いが、光源ユニット１２の点灯で光源ユニット１２（透光カバー４５）が熱膨張したときには、本体ユニット１１の長手方向の長さと光源ユニット１２の長手方向の長さとが等しくなる場合も、前記の「略等しい」に含める。
【００１８】
また、図５に示すように、光源ユニット１２の透光カバー４５の長手方向の両端部にある側板４６から発する光を本体ユニット１１（器具本体１３）の長手方向の両端部にある側板２６が遮らないように、光源ユニット１２は本体ユニット１１から突出している。
【００１９】
次に、照明器具１の作用について説明する。
図８は、照明器具１の設置状況を示す説明図である。照明器具１は、ウォールウォッシャー照明として使用することができる。すなわち、天井１０１を被着面として、天井１０１に取付面２５を取り付けることにより、照明器具１を天井１０１に取り付けることができる。このとき、照明器具１を、壁１０２に近い位置に、当該壁１０２側に光源ユニット１２が向くように取り付けることにより、照明器具１で壁１０２を照らすことができる。符号１０３は照明器具１で壁１０２を照らす光を示している。
【００２０】
図９は、照明器具１の設置状況を示す説明図である。図９に示すように、ウォールウォッシャー照明として使用する照明器具１は、その長手方向に複数台連続して並べて設置することができる。
この場合、隣接し合う照明器具１同士の隣接部分５１は、なるべく空間を開けないようにして、照明器具１からの光が十分に壁１０２に届き、部分的に暗くなる領域が壁１０２に生じないようにする。
【００２１】
このように照明器具１を設置する場合に、照明器具１は本体ユニット１１と光源ユニット１２とは長手方向の長さが略等しいことから（図６、図７など）、照明器具１の長手方向に複数の光源ユニット１２が間を開けることなく連続的に並ぶ。そのため、壁１０２における照明器具１同士の隣接部分５１に対応した領域にも、光源ユニット１２からの光が十分に届き、当該領域が暗くなってしまうことを防止することができる。
【００２２】
また、照明器具１は、光源ユニット１２の長手方向の両端部にある透光カバー４５の側板４６から発する光を本体ユニット１１（器具本体１３）の長手方向の両端部にある側板２６が遮らないように、光源ユニット１２は本体ユニット１１から突出している（図５など）。よって、光源ユニット１２から発する光が本体ユニット１１（器具本体１３）の側板２６に遮られることがない。そのため、この点でも、光源ユニット１２の発する光は、壁１０２における照明器具１同士の隣接部分５１に対応した領域に十分に届くので、当該領域が暗くなってしまうことを防止することができる。
【００２３】
さらに、光源ユニット１２は、光源となる複数のＬＥＤ（Light Emitting Diode）４７が当該光源ユニット１２の長手方向の一端部から他端部まで連続的（適宜隙間をあけて）に配列されている（図３（ｂ）（ｃ））。よって、光源ユニット１２の長手方向の両端部で光量が足らなくなることがない。そのため、この点でも、光源ユニット１２の発する光は、壁１０２における照明器具１同士の隣接部分５１に対応した領域に十分に届くので、当該領域が暗くなってしまうことを防止することができる。
【００２４】
そして、光源ユニット１２の本体ユニット１１に対する着脱面は当該光源ユニット１２の背面４１である。そのため、光源ユニット１２の本体ユニット１１への取付部（取付バネ４４）が光源ユニット１２の透光カバー４５の側板４６（透光カバー４５の一部をなすので透光性あり）を遮ることがない。そのため、この点でも、光源ユニット１２の発する光は、壁１０２における照明器具１同士の隣接部分５１に対応した領域に十分に届くので、当該領域が暗くなってしまうことを防止することができる。
【００２５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
例えば、前記の照明器具１は、天井１０１に設置する例を示しているが、床に設置して壁１０２を証明するようにしてもよい。
また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることも可能である。
【符号の説明】
【００２６】
１      照明器具
１１    本体ユニット
１２    光源ユニット
２５    取付面
４１    着脱面（背面）
４６    ＬＥＤ
１０１  天井（被着面）
【図１】
2016004759.tif 000003
【図２】
2016004759.tif 000004
【図３】
2016004759.tif 000005
【図４】
2016004759.tif 000006
【図５】
2016004759.tif 000007
【図６】
2016004759.tif 000008
【図７】
2016004759.tif 000009
【図８】
2016004759.tif 000010
【図９】
2016004759.tif 000011